Podtech/llm-jp-corpus-v4-ja_patent huggingface dataset:
(57)【要約】【課題】  使用者の排便後における介助者の手間及び作業負担を軽減し且つ使用者にとっても排便後に身体上の負担がかからないポータブル・トイレを提供する。【解決手段】  脚部２によって支持され且つ使用者の臀部に対応する開口部５を有する座部７の下方に設けた棚状体８に便バケツ９を載置し、棚状体８はその一端が下降するよう傾斜可能に設ける。【選択図】  図１
0003102152.tif 000002
【実用新案登録請求の範囲】
【請求項１】
脚部によって支持され且つ使用者の臀部に対応する開口部を有する座部の下方に設けた棚状体に便バケツを載置し、前記棚状体はその一端が下降するよう傾斜可能に設けたことを特徴とするポータブル・トイレ。
【考案の詳細な説明】
【技術分野】
【００１】  本考案はポータブル・トイレに関する。
【背景技術】
【００２】  従来のこの種のポータブル・トイレは、座部及びこれを支持する脚部を有する椅子形の構造枠と、前記座部に設けられた開口部に着脱自在にはめ込まれた便バケツとから成っている。
【００３】
【考案の開示】
【考案が解決しようとする課題】
【００４】  このような従来のポータブル・トイレを使用するときは、使用者は、その臀部を便バケツの開口部に合わせて座部に座った状態で排便し、排泄物は便バケツに収容される。使用者の臀部を清拭し、便バケツを洗浄するには、使用者が座部からいったん離れて、便バケツを座部から取り外す必要がある。その場合に、使用者の身体が不自由なときは、介助者が使用者をいったん座部から降ろしてその臀部の清拭を済ませる際に使用者及び介助者の双方の身体に負担がかかる一方、介助者は座部から便バケツを取り外して洗浄したうえ座部にはめ込みなおし、その後、使用者を座部に座らせるので、介助者にとって煩瑣な手間及び大きな労力負担がかかるという問題があった。【００５】  本考案は、前述のような問題点を解決するためになされたもので、使用者の排便後における介助者の手間及び作業負担を軽減し且つ使用者にとっても排便後に身体上の負担がかからないようなポータブル・トイレを提供することを目的とする。
【課題を解決するための手段】
【００６】  前記目的を達成するために、本考案に係るポータブル・トイレは、脚部によって支持され且つ使用者の臀部に対応する開口部を有する座部の下方に設けた棚状体に便バケツを載置し、前記棚状体はその一端が下降するよう傾斜可能に設けたことを特徴とするものである。
【考案の効果】
【００７】  本考案に係るポータブル・トイレによれば、使用者を排便後そのまま座らせた状態で便バケツを座部の下から取り出し、座部の下方から手を差し入れて使用者の臀部の清拭をすることができるので、使用者に身体上の負担をかけることがなく、且つ、介助者の手間及び労力負担も著しく軽減できるという効果を奏するものである。
【考案を実施するための最良の形態】
【００８】  以下、図面を参照しながら、本考案を実施するための最良の形態について説明すると、本考案のポータブル・トイレｌは、４本の脚部２及び背もたれ３を具えた椅子形の構造枠４と、脚部２によって支持され且つ使用者の臀部に対応する開口部５を有する座部７と、その下方に設けた棚状体としての棚板８と、棚板８に載置する便バケツ９とから構成されている。このポータブル・トイレ１において前後方向とは、使用者が背中を背もたれ３側に向けて座部７に座ったときの身体の前後方向に対応するもので、図１中の矢印Ａによって示し、また、左右方向は同図中矢印Ｂによって示す。そして、各脚部２にはタボ１０をそれぞれ左右方向に且つ対向させて突設し、その上に棚板８の各左右の側端部８Ａ，８Ｂを支持して、棚板８が水平に支持されると共に左右の脚部２間を前後方向にスライドできるようになっている。また、棚板８は、その後端部８Ｃの両隅部８Ｄを円弧状に形成して、棚板８を前方に押し出したときに両隅部８Ｄがタボ１０から離脱して、前側の脚部２のタボ１０を支点として棚板８の一端即ち後端部８Ｃが下降するよう傾斜可能に設けたものである。【００９】  このポータブル・トイレ１を使用するときは、使用者は背中を背もたれ３側に向けた状態で座部７に座って排便する。このままでは、図３に示すように、便バケツ９は座部７に接近しているから、取り出しにくい状態にある。そこで、使用者を座らせたままの状態で介助者が棚板８を前方に押し出すと、図２及び３中鎖線Ｃで示すように棚板８の後端部８Ｃがタボ１０から外れるので、前側のタボ１０を支点として棚板８を後端部８Ｃが下降するように傾斜させ、次いで、棚板８を後方側に引き戻せば、図３中鎖線Ｄに示すようにその後端部８Ｃを床面につけた状態で便バケツ９を座部７の下から棚板８の後方側又は左右側から簡単に取り出すことできる。この状態で、介助者は使用者を座らせたままの状態で座部７の下側から手を差し入れて座部７の開口部５に露出している使用者の臀部を清拭することができる。取り出した便バケツ９は洗浄後、棚板８に載せて開口部５に対応する位置に置き、棚板８は前方に押し出しつつ後端部８Ｃを持ち上げて後方に引き戻せば左右の側端部８Ａ，８Ｂが全てのタボ１０に再び支持されて使用前の水平な状態になる。なお、本考案における棚状体としての棚板は、脚部におけるタボの突設方向を左右方向ではなく前後方向に内向きにして支持することによって、後端部ではなく左右の側端部のいずれかを下降させて傾斜させるようにすることもできる。
【図面の簡単な説明】
【図１】  本考案に係るポータブル・トイレの実施の形態を概念的に示す斜視図
【図２】  前記ポータブル・トイレにおける棚板及び脚部の関係を概念的に示す一部破断平面図
【図３】  前記ポータブル・トイレにおける便バケツの取り出しを概念的に示す一部破断側面図
【符号の説明】
１  ポータブル・トイレ
２  脚部
５  開口部
７  座部
８  棚板
８Ｃ  後端部
９  便バケツ
１０  タボ
【図１】
0003102152.tif 000003
【図２】
0003102152.tif 000004
【図３】
0003102152.tif 000005
(57)【要約】      （修正有）【課題】日常使用する洗濯バサミを利用して非常に簡単な構造で安価であり、手で行う操作の加減により良く飛んだり、円盤の飛び方を変えられるなど遊びの面白さを有する円盤発射玩具を提供する。【解決手段】洗濯バサミ１の一方の柄に延長柄２、もう一方の柄に円盤保持具付き延長柄３を接着固定し、少し厚みを有する紙などで出来た円盤４を挟み保持する薄板５が固定ピン６で取り付けられていることを特徴とする。【選択図】図１
0003102159.tif 000002
【実用新案登録請求の範囲】
【請求項１】
洗濯バサミ（１）の一方の柄に延長柄（２）、もう一方の柄に円盤保持具付き延長柄（３）を接着固定したことを特徴とする円盤発射玩具。
【考案の詳細な説明】
【技術分野】
【０００１】
本考案は、円盤を発射する円盤発射玩具に関するものである。
【背景技術】
【０００２】
全体がピストルに似せた形状に構成されており、グリップを例えば右手で握った状態で、円盤を前方から充填し、飛ばそうとする方向へ銃口を向けて、トリガを引くことによって、円盤が発射される円盤発射玩具。
【０００３】
この改善策として、複数枚積層状態で供給部内に保持され、そこから１枚ずつ押し出され発射される弾性を有する円盤が、２個のローラに挟持され、このローラがモータで回転されることによって発射される円盤発射玩具。
【特許文献１】実願平６−３７７０号公報
【考案の開示】
【考案が解決しようとする課題】
【０００４】
前記円盤発射玩具のように、円盤供給部、押し出し部、モータで回転する2個のローラなど複雑な構造で高価であり、円盤が飛び出す原理がわかり難く、逆に操作はスイッチを単に押すだけという単純なため子供の興味が湧かない欠点があった。
【課題を解決するための手段】
【０００５】
本考案は、日常使用する洗濯バサミを利用して非常に簡単な構造で安価であり、手で行う操作の加減により良く飛んだり、円盤の飛び方を変えられるなど遊びの面白さを有する円盤発射玩具。
【考案の効果】
【０００６】
本考案は、以下の作用効果が期待できる。
（イ）洗濯バサミ、2個の延長柄、円盤保持具、円盤という簡単な構造からなる。
（ロ）市販の洗濯バサミを使用した単純な構造のため安価である。
（ハ）手を使って柄を撓めて弾き飛ばすという操作のため、弾き方によって飛び方が異なり面白みに富んでいる。
【考案を実施するための最良の形態】
【０００７】
本考案は、洗濯バサミ（１）の一方の柄に延長柄（２）、もう一方の柄に円盤保持具付き延長柄（３）を接着固定し、少し厚みを有する紙などで出来た円盤（４）を挟み保持する薄板（５）が固定ピン（６）で取り付けられていることを特徴とする円盤発射玩具。
【実施例１】
【０００８】
以下、添付図面に従って一実施例を説明する。図１において、（１）は洗濯バサミ、（２）は洗濯バサミ（１）を2個並列に配置しこれらの一方の柄を接着固定延長する延長柄、（３）は延長柄（２）と対峙し2個並列に配置されている洗濯バサミ（１）の他方の柄を接着固定延長する円盤保持具付き延長柄、（４）は紙など出来た円盤、（５）はこの円盤（４）を挟持する薄板、（６）はこの薄板（５）を固定する固定ピンからなる。
次に使用法を説明する。
円盤（４）を薄板（５）が作る隙間に差込み保持させ、たとえば右手の親指で延長柄（２）を支え、この右手の他の４指で円盤保持具付き延長柄（３）に当て、右手を握るようにして両延長柄の隙間を縮めて洗濯バサミ（１）のバネを撓め、円盤保持具付き延長柄（３）を弾くように離す。そして、撓んだ洗濯バサミ（１）のバネが強力に伸び、洗濯バサミ（１）の鋏み口がお互いに当たって円盤保持具付き延長柄（３）が衝撃的に停止する。この時、固定されていた円盤（４）が保持されていた薄板（５）から離れ、洗濯バサミ（１）のバネの全ての運動エネルギーを受けて強力に飛んで行く。
【図面の簡単な説明】
【０００９】
【図１】円盤発射玩具の実施方法を示した正面図である。（実施例１）
【図２】図１を上方から見た図である。（実施例１）
【符号の説明】
【００１０】
１  洗濯バサミ
２  延長柄
３  円盤保持具付き延長柄
４  円盤
５  薄板
６  固定ピン
【図１】
0003102159.tif 000003
【図２】
0003102159.tif 000004
(57)【要約】      （修正有）【課題】低風速時の自己起動及び回転速度の低さを改善した、発電用垂直型風車を提供する。【解決手段】（イ）円筒１の両端に円形のプレート２を取付ける。（ロ）円筒１から適当な距離を離して円形プレートに複数枚の湾曲させた羽根３を取付ける。（ハ）プレートの中心に通した回転軸４によって構成された風車を作る。（ニ）４面に風向制御板６を配した風車塔５の中央に垂直に設置することを特徴とする。【選択図】図１
0003102155.tif 000002
【実用新案登録請求の範囲】
【請求項１】
円筒の両端に取付けた円形プレートの間に、円筒から適当な距離を開けて、湾曲させた複数枚の羽根を均等な間隔で円周に沿って取付け、プレートの中心に回転軸を通した風車を、４面に風向制御板を取付けた風車塔の中に垂直に設置した構造を持つ発電用風車。
【考案の詳細な説明】
【考案の詳細な説明】
【産業上の利用分野】
【０００１】この考案は、発電に利用するための風車である。
【背景技術】
【０００２】垂直型の風車は回転速度の低さで発電用には不向きとされている。
【考案が解決しようとする課題】
【０００３】低風速時の自己起動及び回転速度の低さの改善。
【問題を解決するための手段】
【０００４】風車の中央部に円筒を設置したこと。
円筒から離して受風用の羽根を複数枚配置したこと。
風車塔の柱の間に風向制御板を設置したこと。
【作用】
【０００５】▲１▼風車の中央に円筒１を取付けることによって風と同方向の羽根３が方向舵として作用するのを防ぎ、自己起動し易くした。
▲２▼円筒１と羽根３を離して取付けることにより、回転軸４を中心として左右の受風バランスを崩し、風車に回転力を与えた。
▲３▼風車塔５に風向制御板６を取付けることによって、羽根の受風面（凹面）により多くの風を当て、反対側（凸面）には出来る限り制限することによって、より多くの回転力を与えた。
▲４▼風向制御板の入口と出口の広さの差によって、約５割増の風速を羽根に伝えることができた。
【実施例】
【０００６】▲１▼円筒１の両端に円形プレート２を取付ける。
▲２▼円形プレート２に円筒１から離して羽根３を取付ける。
▲３▼円形プレート２の中央に回転軸４を通した風車を作り、
▲４▼風車塔５の中央に垂直に回転可能な状態になるよう設置する。
▲５▼風車塔の４面に、羽根の凹面に風が当たるように風向制御板６を取付ける。
【考案の効果】
【０００７】▲１▼円筒１の両端を円形プレート２で挟んで取付けたことによって、風車の構造的強度が増加した。
▲２▼両端の円形プレートが構造的に安定したことによって、羽根３に荷重が掛からなくなり、羽根をプラスチックシートでも代用できるようになった。
▲３▼特殊な羽根の設計が不用になった。
▲４▼風車の回転軸４の両端を支持する構造となるため、回転軸に掛かる荷重が軽減され、同時に円滑な回転が得られた。
▲５▼風車塔５は４本の柱により支える構造になるため、強風、突風に対する安全性が増加した。
▲６▼風車を垂直に設置することによって、全方向の風に対応できるようになった。
▲７▼風向制御板を取付けることにより、低風速による自己起動と約５割増の回転速度を得ることが可能となった。
▲８▼回転時の騒音がなくなる。
▲９▼発電機等の重量物を地上に設置できるようになった。
▲１０▼羽根に金属を使用する必要がなくなり、電波障害を起こす原因がなくなった。
▲１１▼野生動物特に鳥類から風車存在の認識が容易となり、その安全性も確保できる。
▲１２▼風車塔の着色に考慮することにより、景観にも配慮できる。
【図面の簡単な説明】
【図１】  本考案の風車平面図である。
【図２】  本考案の風車立面図である。
【図３】  本考案の風車塔透視図である。
【符号の説明】
１は、円筒である。
２は、円形プレートである。
３は、受風用の羽根である。
４は、回転軸である。
５は、風車塔である。
６は、風向制御板である。
【図１】
0003102155.tif 000003
【図２】
0003102155.tif 000004
【図３】
0003102155.tif 000005
(57)【要約】      （修正有）【課題】エンジン停止による作業ロスを防ぐと共にエンジン、ベルト、粉砕切削ローター等の伝動関係部品が衝撃による悪影響を受けることを防止する。【解決手段】遠心クラッチ２，減速スプロケット４，送りローラー１０，これらに連結された円形摩擦板５に制動装置を設けて惰性や微小摩擦の送り回転を制動する。【選択図】図１
0003102154.tif 000002
【実用新案登録請求の範囲】
【請求項１】
（イ）  （２）遠心クラッチ伝動の従動側回転部に（５）制動装置を設ける。
【考案の詳細な説明】
【考案の詳細な説明】
【技術分野】
【０００１】  この考案は粉砕及びカッター加工機における遠心クラッチの送り伝動制御に関するものである。
【背景技術】
【０００２】  エンジンから伝動されている（１）粉砕切削ローターの回転数が負荷によって既定まで低下した時、（１）粉砕切削ローター軸に取付けられた送り用の（２）遠心クラッチは非伝動となり（１０）送りローラーは停止する。これにより粉砕切削率が低下する、この間にエンジン回転は復帰することになっている。
しかし急激な回転低下の場合には、送り装置は（２）遠心クラッチが非伝動と同時にフリーになるが（１０）送りローラーは惰性で回転を続けるため、粉砕切削率は逆に大きくなり、その過負荷でエンジンが停止する現象があった。
また（２）遠心クラッチ臨界速度近くでは半端な送りにより材料が（１）粉砕切削ローターに接触し、回転上昇が妨げられ、能率が悪くなっている。
動力がモーターであっても同様の現象が見られる。
【考案が解決しようとする課題】
【０００３】  本案はエンジン停止による作業ロスを防ぐと共にエンジン、ベルト、（１）粉砕切削ローター等の伝動関係部品が衝撃による悪影響を受けることを防止する。
更にエンジン能力の効率分配化、即ち加工難物は遅く、易き物は速く処理させる。
【課題を解決するための手段】
【０００４】  （２）遠心クラッチ従動部即ち（２）遠心クラッチのドラム、（４）減速スプロケット、（１０）送りローラー等自体に、あるいはこれらに連結された回転部に例えば（５）円形摩擦板あるいはライニング等による制動装置を設けて惰性や微小摩擦の送り回転を制動する。
【考案実施の形態】
【０００５】  図のような粉砕機を使用した。（１）粉砕切削ローター軸の一端はエンジンから伝動されている。回転が上がると（２）遠心クラッチは伝動し、（３）伝動チェーンを経て（４）減速スプロケットが従動する。この側面に（５）円形摩擦板を（６）フランジで押し当てて制動した。（７）押圧ばねで圧力を与え、制動力を（８）圧力調節ナットで調節した。（３）伝動チェーンを経て（１０）送りローラーが回転して材料を送る。
【０００６】（２）遠心クラッチは非伝動時のフリー状態と、摩擦臨界時の不安定伝動が送りの不安定であり、エンジン停止の原因となる。これを制動することで限定された伝動力の送りになり、エンジン負荷が安定してエンジン停止を顕著に減少出来る。
【考案の効果】
【０００７】  粉砕試験は良好な成果があった。
硬い木はφ３０の粉砕でエンジン停止していたものが粉砕機の限度であるφ５０の粉砕でもエンジン停止の気配も無かった。
エンジン回転の立ち直りが早くなり能率が上がった。
【図面の簡単な説明】
【図１】    本考案の立体図
【図２】    本考案制動装置の断面図
【符号の説明】
１は粉砕又は切削ローター
２は遠心クラッチ
３は伝動チェーン
４は減速スプロケット
５は摩擦板
６はフランジ
７は押圧ばね
８は圧力調節ナット
９はスプロケット軸
１０は送りローラー
【図１】
0003102154.tif 000003
【図２】
0003102154.tif 000004
(57)【要約】【課題】  れんげを使って麺類を食べる時、具だけを食べやすく出来るようにする。【解決手段】  れんげの本体片側側面に数箇所の細い形状の穴を空け、傾けることによりスープを穴から逃がし、具だけを食べやすくした。また、右穴仕様、左穴仕様をつくることにより利き腕を考慮し、使いやすさも考えた。【選択図】  図１
0003102153.tif 000002
【実用新案登録請求の範囲】
【請求項１】
ラーメンなどの麺類又は鍋物のスープを吸うときに用いるれんげに関するもの。
【考案の詳細な説明】
【考案の詳細な説明】
【考案が解決しようとする課題】
【０００１】  従来、ラーメン等の麺類を食べていくうちに、具のコーンなどだけを食べたくても、いままでのれんげではスープを一緒にすくってしまい、具だけを食べるのに苦労し、不具合を感じていた。
【課題を解決するための手段】
【０００２】  上の不具合を解消するために、れんげの片側側面に数箇所の細い形状の穴を空け、スープを逃がす形状とした。
【作用】
【０００３】  右側側面に穴があるものと左側側面に穴があるものを作ることにより、個人それぞれがもっている「利き腕」からの使いやすさも考えている。
【考案の効果】
【０００４】  具とスープを同時にすくっても少し傾けるだけで、容易にスープを除くことが出来、右利き型、左利き型をそれぞれ利用することにより、誰でもが簡単に、具を最後まで味わうことができる優れた考案である。
【図面の簡単な説明】
【図１】本考案の左穴仕様側面図である。
【図２】本考案の左穴仕様平面図である。（右穴仕様省略）
【図３】本考案の左穴仕様前面図である。（右穴仕様省略）
【図４】本考案の右穴仕様側面図である。
【符号の説明】
１．れんげ本体
２．持手
３．穴
【図１】
0003102153.tif 000003
【図２】
0003102153.tif 000004
【図３】
0003102153.tif 000005
【図４】
0003102153.tif 000006
【手続補正書】
【提出日】平成16年1月15日(2004.1.15)
【手続補正１】
【補正対象書類名】実用新案登録請求の範囲
【補正対象項目名】全文
【補正方法】変更
【補正の内容】
【実用新案登録請求の範囲】
【請求項１】
ラーメンなどの麺類又は鍋物のスープを吸うときに用いるれんげであって、片側側面に数箇所の細い形状の穴を空け、スープを逃がす形状としたことを特徴とするれんげ。
(57)【要約】      （修正有）【課題】食材茹で装置において茹で槽に発生する電蝕現象を防止すること。【解決手段】ステンレス鋼板製の茹で槽１内の熱湯Ｗ中に、茹でカゴ循環用チェンコンベア２を設置して、熱湯Ｗ中を循環するうちに茹で加工される槽において、食材の浸漬高さより低位置においてアルミニウム合金製の電蝕防止材７Ａ〜７Ｄを設けた。【選択図】図１
0003102113.tif 000002
【実用新案登録請求の範囲】
【請求項１】
食材を茹で加熱するための熱湯（Ｗ）を収容する茹で槽（１）内で且つ上記熱湯（Ｗ）中に浸漬せしめられる位置において上記茹で槽（１）の電蝕を防止する電蝕防止材（７Ａ〜７Ｄ）を設けたことを特徴とする食材茹で装置。
【請求項２】
上記食材がうどん又はそばあるいはラーメン等の塩分を含む食材であることを特徴とする請求項１記載の食材茹で装置。
【請求項３】
上記茹で槽（１）がステンレス鋼板製であり、上記電蝕防止材（７Ａ〜７Ｄ）がアルミニウム合金材であることを特徴とする請求項１記載の食材茹で装置。
【請求項４】
上記電蝕防止材（７Ａ〜７Ｄ）は、上記茹で槽（１）内における食材の浸漬高さより低位置に設けられていることを特徴とする請求項１、２又は３記載の食材茹で装置。
【考案の詳細な説明】
【技術分野】
【０００１】
本願考案は、うどん又はそば等の麺類あるいはその他の食材を茹でるための食材茹で装置に関するものである。
【背景技術】
【０００２】
うどん又はそば等の食材を茹で加工したあと、急速冷凍した冷凍麺等の加工食品が知られているが、本願考案者等によれば、これらの食材を茹でるために使用される茹で槽に原因不明の腐蝕現象が発生していることが知見された。尚、この種の茹で加工装置の一例として、例えば特許文献１（登録実用新案第３０１８３７８号公報）に示されるようなものがある。
【０００３】
【特許文献１】登録実用新案第３０１８３７８号公報（図１参照）
【考案の開示】
【考案が解決しようとする課題】
【０００４】
そして、本願考案者等は、茹で槽の腐蝕現象の原因を探求したところ、この腐蝕は、いわゆる電蝕現象、すなわち、茹で槽を構成する金属材料（通常はステンレス鋼板）の一部と茹で槽内の他の金属材料との間で茹で槽内の熱湯を媒質として電流が発生し、茹で槽を構成する金属材料の一部が陽極として作用する場合に発生する腐蝕現象、であることが判明した。
【０００５】
本願考案は、この食材茹で槽における電気的腐蝕現象に対処することを目的とするものである。
【課題を解決するための手段】
【０００６】
本願考案の食材茹で装置は、茹で槽の電蝕現象に対処するために、茹で槽内において、食材加熱用の熱湯中に浸漬せしめられる位置において適宜の電蝕防止材を設けることを基本思想とする。
【０００７】
電蝕防止材は、茹で槽を構成する金属材料に対して流電陽極となる金属材料が採用される。たとえば茹で槽がステンレス鋼板製であれば食品衛生面を考慮してアルミニウム合金材を電蝕防止材として使用することが好適である。
【０００８】
本願考案の食材茹で装置は、麺類（うどん又はそばあるいはラーメン等）のように塩分を含む食材を茹で加熱する茹で槽に対して特に顕著な電蝕防止効果がある。
【０００９】
又、上記電蝕防止材は、茹で槽内における食材の浸漬高さより低位置に設けることが好ましい。
【考案の効果】
【００１０】
本願考案は、茹で槽内の適所に電蝕防止材を設置することにより、茹で槽の電蝕を防止したものであり、食材茹で装置の保全上顕著な効果を奏するものである。
【００１１】
又、本願考案の食材茹で装置は、麺類（うどん又はそばあるいはラーメン等）のように塩分を含む食材を茹で加熱する茹で槽に対して特に顕著な電蝕防止効果がある。
【実施例】
【００１２】
図１及び図２に示す麺類（うどん又はそばあるいはラーメン等）用茹で装置により本願考案の実施例を説明すると、図１及び図２において符号１はステンレス鋼板製の茹で槽、２は茹でカゴ循環用チエンコンベヤ、３Ａ〜３Ｈは同チエンコンベヤ用スプロケット、４はチエンコンベヤ２に装着され、麺類が充填されて茹で槽１内の熱湯Ｗ中を循環する茹でカゴ、５は茹で槽１内の熱湯Ｗの加熱源となる蒸気管ユニット、６は茹でカゴ５内に充填した麺線を分離する（ほぐす）ためのふかしパイプ、７Ａ〜７Ｄは、茹で槽１を構成するステンレス鋼板に発生する電蝕現象を防止するために設けられたアルミニウム合金製の丸棒状の電蝕防止材である。尚、ふかしパイプ６は、茹で槽１内の底部付近から蒸気を噴出させ、熱湯Ｗ中に多数の気泡を発生させる（バブリングする）ことにより、茹でカゴ５内の麺線をほぐすことができるようにしたものである。
【００１３】
図１の装置では、矢印Ｐの位置で茹でカゴ４内に食材（うどん又はそばあるいはラーメン等の麺類）が投入される。同食材は、茹でカゴ循環用チエンコンベヤ２によって茹で槽１内の熱湯Ｗ中を循環するうちに適度に茹で加工され、矢印Ｑの位置で茹でカゴ４から取り出される。そして、そのあと、急速冷凍ライン（−３５℃以下）へ送られて冷凍麺とされるものである。
【００１４】
ところで、図１のような構成にすると、茹で槽１内の熱湯Ｗを媒質としてステンレス鋼板製の茹で槽１の一部壁面とアルミニウム合金製の電蝕防止材７Ａ〜７Ｄとの間に電流が発生したとしても、電蝕防止材７Ａ〜７Ｄ側が陽極となって茹で槽１側が陽極化するのを防止し、その結果、茹で槽１側の電蝕現象を防止することになる。
【００１５】
特にこの実施例のように熱湯Ｗ内を循環する食材が塩分を含んでいる麺類の場合は、熱湯Ｗの導電性が強くなるが、電蝕防止材７Ａ〜７Ｄの存在により効果的に茹で槽１の電蝕を防止することができる。
【００１６】
尚、この実施例では、電蝕防止材７Ａ〜７Ｄは茹でカゴ循環用チエンコンベヤ２より下方位置（食材の浸漬高さより下方位置）に設けられているが、このようにすると、食材からの塩分の溶出により比較的塩分濃度の高くなり易い位置（電蝕現象の発生し易い位置）において防蝕効果が発揮されることとなり、本願考案の目的上より効果的である。
【図面の簡単な説明】
【００１７】
【図１】本願考案の実施例にかかる食材茹で装置の概念図である。
【図２】図１の装置における茹で槽と蒸気管ユニットとふかしパイプと電蝕防止材の配置説明図である。
【符号の説明】
【００１８】
１は茹で槽、２は茹でカゴ循環用チエンコンベア、３Ａ〜３Ｈはスプロケット、４は茹でカゴ、５は蒸気管ユニット、６はふかしパンプ、７Ａ〜７Ｄは電蝕防止材である。
【図１】
0003102113.tif 000003
【図２】
0003102113.tif 000004
(57)【要約】【課題】  幼稚園、保育園の幼児の遊戯では、多くの健常児のみならず、自閉的な幼児らも自ら切り開く集団遊びに引きずり込んでいき、幼児は弾性ベルトを把持して音楽に合わせ、または歌いながら踊るので、幼児は楽しみながら手、足、腰の鍛練に適し成長、発育の土台を作ることができる。【解決手段】  幼児は輪になって座り、歌を歌いながら弾性ベルト１を把持した手を隣りへ、隣りへと回して移動させ、歌が終わった時、この弾性ベルトの色違いのポイント部１１を手にしている人が当たりとなり、輪の中に入る。【選択図】      図１
0003102117.tif 000002
【実用新案登録請求の範囲】
【請求項１】
伸縮自在の弾性ベルトの両端を連結して無端状とした遊戯具。
【請求項２】
請求項１において、弾性ベルトの所定箇所には色彩を異にするポイント部が設けてあることを特徴とする遊戯具。
【考案の詳細な説明】
【技術分野】
【０００１】
本考案は、幼児を対象とする遊戯具に関する。
【背景技術】
【０００２】
従来から幼児用の遊戯具は数多く提供されている。例えば、木片を使用したもの、縄を使用したものなどがある。
【考案の開示】
【考案が解決しようとする課題】
【０００３】
しかし、従来の遊戯具は、「集団遊び」に健常児ばかりでなく、自閉的な子、ダウン症の子が引きずられて参加するような遊戯具ではなかった。
【課題を解決するための手段】
【０００４】
本考案に係る遊戯具の第１の特徴は、伸縮自在の弾性ベルトの両端を連結して無端状としたものである。また、第２の特徴は、上記弾性ベルトの所定箇所に色彩を異にするポイント部が一箇所、または複数箇所設けてあるところにある。
【考案の効果】
【０００５】
本考案の効果として、幼稚園、保育園の幼児の遊戯では、多くの健常児のみならず、自閉的な幼児、ダウン症の子、脳性マヒの子らも自ら切り開く集団遊びに引きずり込んでいくことができる。そして、幼児は弾性ベルトを把持して音楽に合わせ、または歌いながら踊るので、幼児は楽しみながら手、足、腰の鍛練に適し、さらに心を自由に解き放ち成長、発育の土台を作ることができる。さらに、弾性ベルトの有する弾力性は幼児に色々なイメージを与え、幼児自身で色々の遊戯方法を生み出すこともある。
【考案を実施するための最良の形態】
【０００６】
本願に係る遊戯具は、図１に示すように、伸縮自在の弾性ベルト１の両端を連結して無端状としたものである。好ましくは、弾性ベルト１の所定箇所に色彩を異にするポイント部１１が設けてある。このポイント部１１は１箇所または複数箇所に設けてあり、このポイント部の色は、地色と違う場合と、特に複数のポイント部を設けてあるものでは、このポイント部相互の色が異なる場合のように複数の着色が施してあるものとがある。
【０００７】
弾性ベルト１としては、例えば布製のゴムであって、その幅は幼児が把持し易いことから５ｃｍ程度のものである。そして、布製のゴムの両端を縫い合わせ、無端状、つまり輪状にしたもので、その直径は３．２ｍ、４．８ｍ、６．４ｍのタイプのものがあり、遊戯に参加する幼児の数によりこのタイプのものから適宜選択して使用する。
【０００８】
弾性ベルト１は全体が１色のものでもよいが、好ましくはポイント部１１として１箇所または、複数例えば４〜６箇所には、長さが５０ｃｍ程度の色違いの部分を設けておく。例えば、弾性ベルト１全体を１色のみの場合、地色は白色で、ポイント部１１は赤色の場合、さらに、ポイント部の色を赤色、黄色、緑色、青色など複数の色に着色されたものでもよい。
【０００９】
遊戯方法１  
幼児は弾性ベルト１を把持し、歌を歌いながらこのベルトをもって体の各部位、例えば足、おへそ、胸、肩、頭、さらには顔の口、鼻、耳、額を指す。
【００１０】
遊戯方法２  
幼児は弾性ベルト１を把持し、歌を歌いながらこのベルトを把持した手を、上から頭、肩、膝に下していき、皆で左右に揺れる。好きな果物など食べ物を言っても良く、歌は替え歌にして歌うこともよい。  
最後には、ヤーと叫び弾性ベルト１を一斉に高くあげるか、又は弾性ベルトを把持したまま、ヤーといって後へ一斉にひっくり返り、遊びの終わりを明確にさせる。
【００１１】
遊戯方法３
幼児は輪になって座り、歌を歌いながら弾性ベルト１を把持した手を隣りへ、隣りへと回して移動させ、歌が終わった時、この弾性ベルトの色違いの特定のポイント部１１を手にしている人が当たりとなり、輪の中に出る。  
この当たりになった人は、輪の中で椅子に座り王様役になる。そして、王様役を囲んでいる人は歌に合わせて、立つ、お辞儀する、またはその場で回る、などを表現し、歌が終わると王様役の人は大人に「高い、高い」といって高く放り上げあげてもらう。
【００１２】
遊戯方法４
幼児は弾性ベルト１を把持し、例えば「風船」の歌を歌いながらこの弾性ベルトを拡開させ、さらに、収縮させたりして、最後にはパチーンと把持した手を一緒に離す。  
この遊戯では輪の中に入り座る内グループと弾性ベルトを把持する外グループら分かれると、内と外のグループが互いに離れる、近づく、離れる時の緊張感があり、特に、近づく時の緊張感は大きく、その時に見せる幼児の表情は豊かで見逃せない。弾性ベルトを収縮させて外グループが内グループに近づいて、内グループの幼児の頭をなでなでしたり、くすぐったりしてやると、そのことを楽しみにして、この遊戯に積極的に参加するようになる。また、ここでは「する」と「される」というイメージの違いにより、普段かなり乱暴に「する」方にいた子が、内に入ると頭を抱えて寝転んで小さくなり、おとなしく「される」のを待ったりする。  
内に入らなくても結構迫力のある遊びで、最後に弾性ベルトを離した後、外グループの幼児は一斉に勢いよく弾性ベルトを追いかけていくのは、この遊戯の大きな盛り上がりとなる。
【００１３】
遊戯方法５
弾性ベルトを、昔から汽車に見たてていたように、中に入り、「汽車ポッポ」の歌を歌いながらホールや廊下を走り回る。これは従来の汽車ゴッコのようであるが、これとの違いは、運転手と車掌さん以外は弾性ベルト１から手を離し、このベルトを腰よりずっと低く下げて、この運転手と車掌さんの一方がグングン引っ張り、合図で離すと、中の人はビューンと飛んでくるベルトに引っ掛からないようにジャンプする。幼児の年齢などによって弾性ベルト１の高さや引っ張り具合を変えるとよい。
【００１４】
このような遊戯方法は、これらに限定されるものではなく、遊戯中に大人のみならず幼児も新しい遊戯方法を生み出すことがある。
【産業上の利用可能性】
【００１５】
考案の活用例として、幼稚園、保育園の幼児の遊戯に活用できる。
【図面の簡単な説明】
【００１６】
【図１】本願考案の実施例を示す斜視図である。
【符号の説明】
【００１７】
１      弾性ベルト
１１    ポイント部
【図１】
0003102117.tif 000003
(57)【要約】      （修正有）【課題】脇の下に収まり易い加温冷却用具。【解決手段】対称位置に置いた、縦長の矩形をして、上方に二枚重ねの入り口を有する布地の収納袋２に、水と水吸収ゲル化剤と氷点降下剤の混合物からなるゲル状の保温保冷剤５を充填した軟質合成樹脂フィルム製の密閉保温保冷剤袋１を所定温度にして収納し、収納袋２個の各々の内側の上下端に伸縮性のある肩掛け用帯状片３を渡して固定してあり、これら両方の肩掛け用帯状片の一方の略中央位置に伸縮性があって、かつ長さの調節可能な首当て用帯状片４を固定して他方の肩掛け用帯状片を抱えるようにしてそれに通してある。【効果】保温保冷剤袋の収納袋が脇の下に密着してズレ落ちることがなく着用しても違和感がない。【選択図】図１
0003102130.tif 000002
【実用新案登録請求の範囲】
【請求項１】
対称位置に置いた、縦長の矩形をして、上方に二枚重ねの入り口を有する布地の収納袋に、水と水吸収ゲル化剤と氷点降下剤の混合物からなるゲル状の保温保冷剤を充填した軟質合成樹脂フィルム製の密閉保温保冷剤袋を所定温度にして収納し、収納袋２個の各々の内側の上下端に伸縮性のある肩掛け用帯状片を渡して固定してあり、これら両方の肩掛け用帯状片の一方の略中央位置に伸縮性があって、かつ長さの調節可能な首当て用帯状片を固定して他方の肩掛け用帯状片を抱えるようにしてそれに通してある両脇の下の加温冷却用具。
【考案の詳細な説明】
【技術分野】
【０００１】
本考案は脇の下の加温冷却用具に関する。
【背景技術】
【０００２】
従来、熱が出たときに額を冷やすのが一般的であるが、太い血管やリンパ節のある両脇の下を冷やしたほうが解熱効果があると思われる。後頭部を冷やすのも効果的ではあるが、そこを冷やすため冷却用具が外気に露出していたのでは冷熱が外気に奪われ効果が半減する。近時、両脇の下と首筋を同時に冷やす冷却用具が市販されているが、可なり窮屈であり、横臥や仰臥して使用するのであるならば、首筋のためには、むしろ枕を用いたほうが効果的であり、脇の下と首筋を同時に冷やす冷却用具を使用するには及ばない。
【０００３】
特許文献１によれば、保冷剤本体に面ファスナーで着脱可能なゴムベルトを付け、当該ベルトをたすき状に背中に掛けることにより本体を脇の下に固定した熱降下用品が提案されているが、このものはたすき状に背中をしめつけるので窮屈であり、違和感を伴うので好ましくない。また、特許文献２では冷熱袋を肩に掛けるだけの方式であるため外れ易く実用的でない。
【特許文献１】特開2000-60891
【特許文献２】実用新案登録第306359号
【考案の開示】
【考案が解決しようとする課題】
【０００４】
本考案は体に収まり易い脇の下の冷却用具を提供せんとするものである。
【課題を解決するための手段】
【０００５】
ここにおいて本考案者は本考案において使用する保冷剤が保温剤にもなり得るので、冷却用具に限定することなく、加温用具にも適用するべく以下のものを考案するに至った。すなわち、対称位置に置いた、縦長の矩形をして、上方に二枚重ねの入り口を有する布地の収納袋に、水と水吸収ゲル化剤と氷点降下剤の混合物からなるゲル状（柔らかいコンニャク状）の保温保冷剤を充填した軟質合成樹脂フィルム製の密閉保温保冷剤袋を所定温度にして収納し、収納袋２個の各々の内側の上下端に伸縮性のある肩掛け用帯状片を渡して縫い付け固定してあり、これら両方の肩掛け用帯状片の一方の略中央位置に伸縮性があって、かつ長さの調節可能な首当て用帯状片を縫い付け固定して他方の肩掛け用帯状片を抱えるようにしてそれに通してある両脇の下の加温冷却用具を見出すに至った。
【考案の効果】
【０００６】
本考案の脇の下の加温冷却用具を使用することにより、保温保冷剤袋の収納袋が脇の下に密着してズレ落ちることがなく着用しても違和感ない。
【考案を実施するための最良の形態】
【０００７】
本考案の脇の下の加温冷却用具として乳幼児用のものを例にとり説明すれば、図１に示すごとく、収納袋２（7 ×14ｃｍ）が保温保冷剤袋１（6 ×10ｃｍ）を収納し、収納袋２を脇の下に支持するため肩掛け用帯状片３（収縮時幅12mm×長さ160mm ）とそれを支持するための首当て用帯状片４（２枚重ねで収縮時幅12mm×長さ140mm ）があって、保温保冷剤袋１には保温保冷用のゲル状物５（70ｇ）が充填されている。収納袋２は保温保冷剤袋１の入れ替えを容易にし、かつ脱落防止用の金具や面ファスナーによる異和感をなくすため、縦長矩形の上方に二枚重ねの入り口を設けてある。また、収納袋２は乳幼児にも安全で肌触りがよいように、綿80％・ポリエステル20の極細ループ布地を使用してある。そして、肩掛け用帯状片３および首当て用帯状片４の片面に綿素材を使用してある。
【０００８】
ゲル状の保温保冷剤には水と水吸収ゲル化剤と氷点降下剤の混合物を用いるが、水吸収ゲル化剤としては粉末状のポリアクリル酸ナトリウム架橋物などが好適である。また、氷点降下剤としてはプロピレングリコールが好適でエチレングリコールを使用することもできる。  保温保冷剤５の好適な組成例として水60〜70％（重量比、以下同じ）、プロピレングリコール24〜39％、ポリアクリル酸架橋物1 〜3 ％により、これらの沸点を約１３０℃、凍結温度を約−30℃に設定している。保温保冷剤袋１に用いる軟質合成樹脂フィルムとしてはポリプロピレンやポリエチレンのものが好適である。保冷の場合は保温保冷剤袋１を−15〜−20℃の冷凍庫に入れ数時間冷し−15℃程度に冷してから使用する。その結果、通常２時間程度継続使用することができる。また、保温の場合は５００Ｗの電子レンジで保温保冷剤袋１を収納袋２に収納したままその２個について１〜２分程度加温し80℃程度にしたものを、あるいは、保温保冷剤袋１を熱湯に30秒ほど入れてからそれぞれを用いると外気にもよるが3 時間程度は持続する。
【０００９】
なお、使用の際は下着やパジャマを着た乳幼児の両腕を収納袋２に付いている肩掛け用帯状片３に通し、収納袋２を脇の下に当て、重ねて１本にした首当て用帯状片４の長さを調節して首の後ろのつけ根に当接すれば収納袋２が脇の下に安定する。
【図面の簡単な説明】
【００１０】
【図１】本考案の脇の下の加温冷却用具の説明図
【図２】本考案の脇の下の加温冷却用具を乳幼児に取付けた外観、（ａ）正面図  （ｂ）背面図
【符号の説明】
【００１１】
１  保温保冷剤袋
２  保温保冷剤袋の収納袋
３  肩掛け用帯状片
４  首当て用帯状片
５  ゲル状物
【図１】
0003102130.tif 000003
【図２】
0003102130.tif 000004
(57)【要約】      （修正有）【課題】掃き掃除等に、またはペットの糞などを処理する際に、ゴミまたは糞等を袋の中に収集するのに便利な袋開口保持具を提供する。【解決手段】弾性に富んだプレート１にアームを取り付けた袋開口保持具で、袋４の開口部をプレートの張力によって開かせ使用する。このため、広範囲の掃き掃除を容易にし、また動物が糞をするとき直接袋に受けられるようにし、掃除の作業効率を向上させること及び軽量ゴミいれとして使用することが可能な袋開口保持具を提供することが出来る。【選択図】図３
0003102121.tif 000002
【実用新案登録請求の範囲】
【請求項１】
弾性に富んだプレートにアームを取り付け、別に用意した袋の開口部を外側に折り返し、その間にプレートを差込み、開口部を曲げられたプレートの張力によって袋の開口部を半月状に開かせ保持し、塵取りとして直接ゴミなどを袋に入れる機構を持つことを特徴とする袋開口保持具。
【請求項２】
プレートに使用する袋の開口部適正サイズの寸法がわかる印がついている請求項１に記載の袋開口保持具。
【考案の詳細な説明】
【技術分野】
【０００１】
本考案は、掃き掃除等に、またはペットの糞などを処理する際に、ゴミまたは糞等を袋の中に収集するのに便利な  袋開口保持に関するものである。
【背景技術】
【０００２】
一般的に掃除のときには、箒を使ってゴミを一箇所に掃き集め、ゴミを塵取りですくって、この塵取りのゴミをゴミ袋に入れる作業が行われている。
【０００３】
あるいは、箒と塵取りそれに加えてゴミ袋を持って歩きながら、ゴミを箒で掃いて塵取りにすくい、この塵取りが満杯になると、ゴミ袋に入れるといった動作を行っていたし、また、ペットの糞を処理する際に下痢状の糞などは、道路などの地面を汚し、その後の清掃が大変であった。
【０００４】
また、ゴミ袋を広く開けるには片手では困難であり、やはりゴミ箱のような容器にゴミ袋をいれて開口部を確保する必要があったが容器のサイズによって袋の開口部サイズが決まり汎用性に問題があった。
【考案の開示】
【考案が解決しようとする課題】
【０００５】
解決しようとする問題点は、ゴミ袋の開口部を大きく開けてゴミを入れやすく保持し、また地面と隙間なく接し、袋の一部を平坦にしてゴミを直接その袋に入れられるようにし、またペットの糞などを直接受けられるように軽量で開口部が大きく開いた持ち運びが便利でしかも色々なサイズの袋に対応して使用できるようにする点である。
【課題を解決するための手段】
【０００６】
本考案は、  弾性に富んだプレートを曲げた際にその反力として元に戻ろうとする力を利用し、袋の開口部を大きく開けて保持する張力として利用し、またその張力で袋の一部分を直線的に引っ張るようにすることで、袋の一部を平坦にしてゴミを直接その袋に入れられるようにする。
【０００７】
また、大きな開口部のサイズの袋でも使用できるように、プレートに袋の適正開口部サイズの印を付け、また保持具の構造をシンプルにして持ち運びし易いことを最も主要な特徴とする。
【考案の効果】
【０００８】
本考案の袋開口保持具は、アームに、弾性に富んだプレートを取り付けてあり、かつ袋の開口部を折り返したその間にプレートを曲げ入れ、その反力としてプレートが元に戻ろうとする力を利用して袋の開口部を広げてその状態を維持し、またプレートの両端部によって袋の一部が直線的に引っ張られ塵取りの機能が発生するという利点、それに加えプレートの印によりどんな袋でも開口部の適正サイズが判り、調整できるという利点、及び構造が簡単であるため軽量という利点がある。
【考案を実施するための最良の形態】
【０００９】
、塵取りでゴミやペットの糞などを取り、ゴミ箱に入れるという目的を、プレートとそれを支えるアームだけのシンプルな構造により袋の開口部を広く保持しゴミやペットの糞などを直接袋に入れることを、実現した。
【実施例１】
【００１０】
以下、この考案の実施形態を添付図面にて参照し説明すると、
図１、図２及び図３は、この考案の袋開口保持具の一実施形態を示している。
【００１１】
図１は、この考案の、袋の開口部の適正サイズを計るための印のついた弾性に富んだプレートにアームを取り付け、また袋を取り外す際の安全性を考慮してプレートの両端部にひも状のものでゆるい円弧状に保持されている袋開口保持具の外観図である。
【００１２】
図２の上図は、袋の開口部を外側に折り返し、その間にプレートを差込んでいる状態を表している。
【００１３】
このとき、図2の下図に示すように袋の折り返した部分を少しアームの内側に折り曲げプレートとアームに挟むと袋が固定されプレート全体を差し込みやすくなる。
【００１４】
図３は、袋の開口部の折り返し部分にプレート全体を差込み、開口部が半月状に開いている状態の保持具である。
【産業上の利用可能性】
【００１５】
公園、駅、それに屋外のコンサートホールなどでイベントなどが行われる場合に、普段より多くのゴミが発生し、既存のゴミ箱や塵取りでは処理が追いつかず、追加容器などが不可欠な場合の用途にも適用できる。
【図面の簡単な説明】
【００１６】
【図１】袋開口保持具の外観図。
【図２】袋開口保持具のアーム部分を袋に装着している状態図。
【図３】袋開口保持具を袋に装着完了した外観図。
【符号の説明】
【００１７】
１      袋開口保持具のプレート部。
２      袋開口保持具のアーム部。
３      安全紐。
４    袋。
５    袋の折り返し部分。
６    袋の折り返し部をプレートの内側に折った部分。
７    プレート中央部に印された袋の適正開口部サイズ
【図１】
0003102121.tif 000003
【図２】
0003102121.tif 000004
【図３】
0003102121.tif 000005
(57)【要約】 【課題】  弔時に使用できる薄墨を使用した名入りスタンプを含む名入りスタンプの組合せを提供する。【解決手段】  ２個の液浸透式の名入りスタンプからなり、片方の名入りスタンプ１には通常の黒インクが充填してあり、他方の名入りスタンプ３には薄墨インクが充填してあることを特徴とする。【選択図】    図１
0003102167.tif 000002
【実用新案登録請求の範囲】
【請求項１】
２個の液浸透式の名入りスタンプからなり、片方の名入りスタンプには通常の黒インクが充填してあり、他方の名入りスタンプには薄墨インクが充填してあることを特徴とする液浸透式の名入りスタンプの組合せ。
【考案の詳細な説明】
【技術分野】
【０００１】
本考案は、２個を一組とする液浸透式の名入りスタンプの組合せに関し、慶弔用のスタンプとして便利なスタンプの組合せに関する。
【背景技術】
【０００２】
液浸透式のスタンプはよく知られている（例えば特許文献１、特許文献２）。
この液浸透式のスタンプは、例えば、速達、書留等種々の事務用語を表示するのに便利に使用されているし、また、会社名、個人名、住所と個人名等名入りスタンプとしても便利に使用されている。
これら名入りスタンプは黒インクが充填されているのが通常であり、また、筆書きが苦手な人が、筆書き字を施したスタンプを所持する人もいる。
【特許文献１】特開平６−２７０５２２号公報
【特許文献２】特開平７−６１１０５号公報
【考案の開示】
【考案が解決しようとする課題】
【０００３】
上記した通り、通常使用するスタンプは黒インクが充填されているが、弔時の際には薄墨を使用する習慣があり、黒インクが充填された名入りスタンプは使用しづらい。しかし、筆字が苦手な人は自分で薄墨を使用して書き難いという課題もある。
本考案は、上記課題に鑑み、弔時に使用できる薄墨を使用した名入りスタンプを含む名入りスタンプの組合せを提供するものである。
【課題を解決するための手段】
【０００４】
そのために、本考案液浸透式の名入りスタンプの組合せは、２個の液浸透式の名入りスタンプからなり、片方の名入りスタンプには通常の黒インクが充填してあり、他方の名入りスタンプには薄墨インクが充填してあることを特徴とする。
【考案の効果】
【０００５】
本考案の液浸透式の名入りスタンプの組合せは、２個の液浸透式の名入りスタンプからなり、片方の名入りスタンプには通常の黒インクが充填してあり、他方の名入りスタンプには薄墨インクが充填してあることを特徴とするものであるから、通常時又は慶時においては通常の黒インクが充填されている名入りスタンプを使用することができ、弔時の際には薄墨インクが充填されている名入りスタンプを使用することができる効果がある。
【考案を実施するための最良の形態】
【０００６】
図示した実施例により本考案の詳細を説明する。
図中１が通常の黒インクを充填した片方の名入りスタンプで、その上面２にはそのスタンプの字体と同じ字体を黒で表示してある。同じく図中３が薄墨インクを充填した他方の名入りスタンプで、同じくその上面４には、そのスタンプの字体と同じ字体を薄墨で表示してある。
【０００７】
図２に本考案の液浸透式名入りスタンプを用いてスタンプした祝儀袋５と不祝儀袋６とを示してあり、祝儀袋５には黒インクが充填された片方の名入りスタンプ１を使用して名前を表示した例が示してあり、不祝儀袋６には薄墨が充填された他方の名入りスタンプ３を使用して薄墨で名前を表示した例が示してある。
【図面の簡単な説明】
【０００８】
【図１】本考案の液浸透式の名入りスタンプの組合せを示す斜面図。
【図２】本考案の液浸透式の名入りスタンプを使用して名前を表示した例を示す平面図。
【符号の説明】
【０００９】
１  片方の名入りスタンプ
２  上面
３  他方の名入りスタンプ
４  上面
５  祝儀袋
６  不祝儀袋
【図１】
0003102167.tif 000003
【図２】
0003102167.tif 000004